(57)【要約】【課題】安価且つ簡易な懸吊具Ａの安全装置２を提供することを課題としている。【解決手段】懸吊ひも１の第１の端部１１と第２の端部１２とを保持して懸吊具Ａのループ状態を形成すると共に、当該懸吊ひも１に一定以上の張力が掛かった際に前記ループ状態を解除する安全装置２において、基台となる安全装置本体２１と、この安全装置本体２１に前記懸吊ひも１の第１の端部１１を保持する第１の保持部と、前記安全装置本体２１に前記懸吊ひも１の第２の端部１２を保持する第２の保持部とを具備し、前記第１の保持部２２または第２の保持部２４を前記懸吊ひも１の端部１１、１２を貫通させて保持する保持孔２２、２４にて形成すると共に、当該保持孔２２，２４の変形を許容する変形許容部２３、２５を備え、前記懸吊ひも１に一定以上の張力が掛かった際に前記保持孔２２，２４を変形させて前記懸吊ひも１の端部１１、１２を保持孔２２，２４から離脱させることにより前記懸吊具Ａのループ状態を解除する。【選択図】図２
2004347733.tif 000002
【特許請求の範囲】
【請求項１】
懸吊ひもの第１の端部と第２の端部とを保持して懸吊具のループ状態を形成すると共に、当該懸吊ひもに一定以上の張力が掛かった際に前記ループ状態を解除する安全装置において、
基台となる安全装置本体と、この安全装置本体に前記懸吊ひもの第１の端部を保持する第１の保持部と、前記安全装置本体に前記懸吊ひもの第２の端部を保持する第２の保持部とを具備し、前記第１の保持部または第２の保持部を前記懸吊ひもの端部を貫通させて保持する保持孔にて構成すると共に、当該保持孔の変形を許容する変形許容部を備え、前記懸吊ひもに一定以上の張力が掛かった際に前記保持孔を変形させて前記懸吊ひもの端部を保持孔から離脱させることにより前記懸吊具のループ状態を解除することを特徴とする安全装置。
【請求項２】
前記安全装置本体が、可撓性を有するシート部材であることを特徴とする請求項１記載の安全装置。
【請求項３】
前記変形許容部が、前記安全装置本体に対して外向きへの変形を許容するものであることを特徴とする請求項１または２記載の安全装置。
【請求項４】
前記変形許容部が、前記安全装置本体に対して内向きへの変形を許容するものであることを特徴とする請求項１または２記載の安全装置。
【請求項５】
前記変形許容部が、前記保持孔と連通するスリットであることを特徴とする請求項１乃至４記載の安全装置。
【請求項６】
前記安全装置本体の外縁まで達するスリットであることを特徴とする請求項５記載の安全装置。
【請求項７】
前記第１の保持部を前記安全装置本体に前記懸吊ひもの第１の端部を貫通させて保持する第１の保持孔として構成すると共に、前記第２の保持部を前記安全装置本体に前記懸吊ひもの第２の端部を貫通させて保持する第２の保持孔として構成し、更に、前記第１の保持孔の変形を許容する第１の変形許容部と、前記第２の保持孔の変形を許容する第２の変形許容部とを具備し、前記懸吊ひもに一定以上の張力が掛かった際に前記第１の保持孔または第２の保持孔を変形させて前記懸吊ひもの端部を保持孔から離脱させることにより前記懸吊具のループ状態を解除することを特徴とする請求項１乃至６記載の安全装置。
【請求項８】
前記第１の保持孔と前記第２の保持孔とを前記安全装置本体に対して対称に設けていることを特徴とする請求項１乃至７記載の安全装置。
【請求項９】
請求項１乃至８記載の安全装置を取り付けた懸吊具。
【発明の詳細な説明】
【０００１】
【発明の属する技術分野】
本発明は、名札やＩＤカード、携帯電話等を首から吊り下げて使用する際に利用される懸吊具に関するものである。
【０００２】
【従来の技術】
近年、名札を取り付けるピンで服に孔が開くといった問題も生じず、また、名札をクリップで取り付けるためのポケット等が不要であり着る服を選ばないなどの理由から、名札やＩＤカード等を取り付けて首等から吊り下げて使用するタイプの懸吊具が使用されるようになってきている。このようなタイプの懸吊具には、一定以上の張力が加わった際に係合又は係合解除し安全装置を構成する一対の係合体を懸吊ひもの両端部に設けている。そして、例えば、吊り下げた名札やＩＤカード等が人に引っ掛かったりドアに挟まれたりしたときに懸吊ひもに加わった張力が係合体に作用し、この張力によって係合体が脱抜することで係合解除して安全機能として作動し、懸吊具のループ状態を解除して首が絞まってしまうといった事故を防止するように構成されている。（例えば、特許文献１）
【０００３】
【特許文献１】
特開２００１−２１８６１３号公報（第３頁、段落番号０００６等）
【０００４】
【発明が解決しようとする課題】
ところが、前記構成の安全装置では、前記係合体の係合状態を解除する脱抜力を適切な状態に設定しないと、いざ懸吊ひもに対して不意の張力がかかった際に懸吊ひものループ状態を正常に解除しない可能性がある。したがって、係合状態に精密性が要求される上、通常、このような安全装置は型により成型されることが多いにも関わらず、懸吊ひもの種類等によって安全確保のために係合体同士の係合力を変える必要があり、各懸吊具に応じた安全装置の金型を作らねばならず、コストが嵩んでしまうという不具合があった。
【０００５】
【課題を解決するための手段】
そこで、本発明は上記課題に着目してなされたものであり、懸吊ひもの第１の端部と第２の端部とを保持して懸吊具のループ状態を形成すると共に、当該懸吊ひもに一定以上の張力が掛かった際に前記ループ状態を解除する安全装置において、基台となる安全装置本体と、この安全装置本体に前記懸吊ひもの第１の端部を保持する第１の保持部と、前記安全装置本体に前記懸吊ひもの第２の端部を保持する第２の保持部とを具備し、前記第１の保持部または第２の保持部を前記懸吊ひもの端部を貫通させて保持する保持孔にて構成すると共に、当該保持孔の変形を許容する変形許容部を備え、前記懸吊ひもに一定以上の張力が掛かった際に前記保持孔を変形させて前記懸吊ひもの端部を保持孔から離脱させることにより前記懸吊具のループ状態を解除することを特徴とする。
【０００６】
以上の構成により、例えば型抜き成形などにより廉価に安全装置を製造できる他、安全装置をループ状態を解除する張力の設定や懸吊ひもの太さの設定等に合わせて簡単に設定変更することができる簡易な構成とすることができる。
【０００７】
また、より簡易に製造するためには、前記安全装置本体を可撓性を有するシート部材で構成することが望ましい。
【０００８】
更に、前記変形許容部を、前記安全装置本体に対して外向きへの変形を許容するものとすることが考えられる。このような構成とすることで、例えば、懸吊具が人に引っかかり懸吊ひもが引っ張られた際に、容易に懸吊ひもの端部が保持孔から抜けやすくなり、緊急の際にループ状態が解除されないという危険性を回避することができる。
【０００９】
加えて、前記変形許容部を、前記安全装置本体に対して内向きへの変形を許容するものとすることで、安全装置本体の外側を足場として変形させ予め設定した張力が掛かった際に初めてループ状態を解除するという安定した性能を得ることができる。
【００１０】
更に、前記変形許容部を前記保持孔と連通するスリットとすることで、簡易に変形許容部を構成することができる。
【００１１】
加えて、前記スリットを前記安全装置本体の外縁まで達する構成とすることにより、スリットを変形し易くして緊急の際に懸吊ひもの端部を保持孔から離脱し易くできる他、万一懸吊ひもの端部がドア等に挟まれたままの状態となって保持孔から抜けない場合にも、例えば前記懸吊ひもの端部近傍が当該スリットを通過して安全装置から外れ、ループ状態を解除することができる。また、一度外れた懸吊ひもを再度安全装置本体に保持させる際には、前記スリットを通して外縁から容易に取り付けることができる。
【００１２】
更に、前記第１の保持部及び第２の保持部の双方を第１の保持孔及び第２の保持孔にて構成し、更に前記第１の保持孔及び第２の保持孔の変形を許容する第１の変形許容部及び第２の変形許容部を設けることにより、前記第１の端部または第２の端部のいずれかに一方的に張力が掛かった場合でもループ状態を解除することが可能となり安全性を向上させることが可能となる。
【００１３】
また、更に安定した性能を発揮させるためには、前記第１の保持孔と前記第２の保持孔とを前記安全装置本体に対して対称に設けることが望ましい。
【００１４】
【発明の実施の形態】
以下、本発明の一実施の形態を、図面を参照して説明する。
＜第１の実施形態＞
図１は、使用者が、本実施形態の懸吊具Ａを首に掛けた状態を示す正面図である。尚、本明細書において、特に明示しない限り、「左右」とは、図１に示される安全装置２の長手方向を基準として用いられ、「上下」とは安全装置２の上下方向すなわち短寸方向を基準として用いられる。
【００１５】
本願発明の懸吊具Ａは、図１に示すように、使用者が被懸吊体である名札ケースＢなどを首から吊り下げて使用する際に利用されるものであり、首にかけるための懸吊ひも１と、この懸吊ひも１に対して一定以上の張力がかかった際に、この懸吊具Ａのループ状態を解除する安全装置２とを具備してなる。
【００１６】
以下、各構成を詳述する。
【００１７】
名札ケースＢは、合成樹脂等にて平板状に形成された可撓性を有する正面視略矩形状のクリアケースであり、上方に設けた懸吊ひも１を取り付けるための取付孔からなる取付部４と、上方から名札等を出し入れ可能としている透明な収納部５とを具備している。
【００１８】
懸吊ひも１は、複数の細い糸から平織り等で形成したひもであり、略円形状の断面を有する１本の連続した略均等厚のものである。そして、この懸吊ひも１を利用して、図１に示すように、使用者が、当該懸吊具Ａを首から吊り下げられるようにしたものである。また、前記名札ケースＢの取付部４に当該懸吊ひも１を結び付けることで固定部１３を形成し、当該名札ケースＢを懸吊ひも１に取り付けている。
【００１９】
そして、本実施の形態の懸吊具Ａは、図２に示すように、前記懸吊ひも１の第１の端部１１と第２の端部１２とを保持して懸吊具Ａのループ状態を形成すると共に、当該懸吊ひも１に一定以上の張力が掛かった際に前記ループ状態を解除する安全装置２を設け、懸吊ひも１に不意の張力がかかった際に、使用者の首を絞めてしまわないように構成している。
【００２０】
具体的には、本実施の形態の安全装置２は、合成樹脂シートの型抜きにより一体に成形されるものであり、図３等に示すように、基台となる安全装置本体２１と、この安全装置本体２１に前記懸吊ひも１の第１の端部１１を保持する第１の保持部である第１の保持孔２２と、この第１の保持孔２２の変形を許容する第１の変形許容部である第１のスリット２３と、前記安全装置本体２１に前記懸吊ひも１の第２の端部１２を保持する第２の保持部である第２の保持孔２４と、この第２の保持孔２４の変形を許容する第２の変形許容部である第２のスリット２５とを具備し、前記懸吊ひも１に一定以上の張力が掛かった際に前記第１の保持孔２２または第２の保持孔２４を変形させて前記懸吊ひも１の第１の端部１１または第２の端部１２を第１の保持孔２２または第２の保持孔２４から離脱させることにより前記懸吊具Ａのループ状態を解除するものである。
【００２１】
安全装置本体２１は、一体に成形された可撓性を有する均等厚のシート部材であり、具体的には合成樹脂であるポリプロピレンを素材とする薄いシート部材である。その正面視形状は、左右上下対称形状を成す横長のものであり、平行な上下辺と外側に向かって膨出する半円形状をなす左右側辺とを有している。
【００２２】
第１の保持孔２２は、図２に示すように、前記安全装置本体２１に前記懸吊ひも１の第１の端部１１を貫通させて保持するものである。具体的には、前記安全装置本体２１に貫通させた円形の孔であり、その内周が前記懸吊ひも１の外周形状と略同様の形状を成している。この第１の保持孔２２は、安全装置本体２１の上下寸法の略中央に位置し、正面視右側に開孔しているものである。
【００２３】
第１のスリット２３は、前記第１の保持孔２２と連通するスリットであり、前記安全装置本体２１に対して前記第１の保持孔２２が内向きへ変形することを許容するものである。具体的には、安全装置本体２１の上下辺と平行に切り込んだスリットであり、安全装置本体２１の上下寸法の略中央に位置する。
【００２４】
第２の保持孔２４は、前記安全装置本体２１に前記懸吊ひも１の第２の端部１２を貫通させて保持するものである。具体的には、前記第１の保持孔２２と同様に、前記安全装置本体２１に貫通させた円形の孔であり、その内周が前記懸吊ひも１の外周形状と略同様の形状を成している。この第２の保持孔２４は、安全装置本体２１の上下寸法の略中央に位置し、正面視左側に開孔しているものである。また、前記第１の保持孔２２と前記第２の保持孔２４とは、前記安全装置本体２１に対して対称に設けられている。
【００２５】
第２のスリット２５は、前記第２の保持孔２４と連通するスリットであり、前記安全装置本体２１に対して前記第２の保持孔２４が内向きへ変形することを許容するものである。具体的には、安全装置本体２１の上下辺と平行に切り込んだスリットであり、安全装置本体２１の上下寸法の略中央に位置する。また、前記第１のスリット２３と前記第２のスリット２５とは、相対向する方向へ切り欠いたスリットである。具体的には、前記第１のスリット２３と第２のスリット２５は、第１の保持孔２２と第２の保持孔２４との間に設けられており、各々前記安全装置本体２１の中心に向かって切り欠かれている。
【００２６】
懸吊ひも１の第１の端部１１は、図４に示すように、前記第１の保持孔２２よりも大なる結び目を有し、前記安全装置本体２１の身体接触面側から外面側に当該懸吊ひも１の第１の端部１１を貫通させ、当該第１の端部１１の結び目を第１の保持孔２２に係止させて保持させているものである。
【００２７】
懸吊ひも１の第２の端部１２は、図４に示すように、前記第１の端部１１と同様に、前記第２の保持孔２４よりも大なる結び目を有し、前記安全装置本体２１の身体接触面側から外面側に当該懸吊ひも１の第２の端部１２を貫通させ、当該第２の端部１２の結び目を第２の保持孔２４に係止させて保持させているものである。
【００２８】
次に、以上のように構成した懸吊具Ａの安全装置２が作動する際の工程について説明する。
【００２９】
例えば、図６に示すように、首から吊り下げた名札ケースＢや懸吊ひも１が人に引っ張られたりドアに挟まれたりした際には、懸吊ひも１に張力が発生する。この懸吊ひも１に発生した張力は、懸吊ひも１の第２の端部１２にある結び目に伝達され、図７に示すように、この結び目が第２のスリット２５を利用して第２の保持孔２４を広げるように変形し、懸吊ひも１の第２の端部１２が、前記第２の保持孔２４から外れるように働く。そして、この張力が、懸吊ひも１の第２の端部１２が第２の保持孔２４から抜けて離脱する離脱力よりも大きければ、図８に示すように第２の端部１２が第２の保持孔２４から離脱して、前記懸吊具Ａのループ状態を解除し、懸吊ひも１で首が絞まってしまうといった事故を未然に防止することができる。一方、この張力が、懸吊ひも１の第２の端部１２が第２の保持孔２４から抜けて離脱する離脱力よりも小さければ、第２の端部１２が第２の保持孔２４から離脱せず保持状態を維持することとなる。
【００３０】
尚、本実施の形態においては、第２の端部１２が第２の保持孔２４から離脱する工程について説明したが、第１の端部１１が第１の保持孔２２から離脱する際も勿論同様である。
【００３１】
以上のような構成を採ることによって、例えば型抜き成形などにより廉価な安全装置２を製造できる他、保持孔の大きさや変形許容量を変えることで、ループ状態を解除する張力の設定を簡単に設定変更することができる。
【００３２】
また、前記安全装置本体２１を可撓性を有するシート部材で構成しているため、より簡易に製造することが可能となる。
【００３３】
加えて、前記第１のスリット２３、第２のスリット２５を、前記安全装置本体２１に対して内向きへの変形を許容するものとしているため、安全装置本体２１の外側を足場として変形させ予め設定した張力が掛かった際に初めてループ状態を解除するという安定した性能を得ることができる。
【００３４】
更に、変形許容部を前記第１の保持孔２３または第２の保持孔２４と連通する前記第１のスリット２３または第２のスリット２５とすることで、変形許容部を簡易に構成することができる。
【００３５】
加えて、前記第１の保持部及び第２の保持部の双方を第１の保持孔２２及び第２の保持孔２４にて構成し、更に前記第１の保持孔２２及び第２の保持孔２４の変形を許容する第１のスリット２３及び第２のスリット２５を設けることにより、前記第１の端部１１または第２の端部１２のいずれかに一方的に張力が掛かった場合でもループ状態を解除することが可能となり安全性を向上させることが可能となる。
【００３６】
また、前記第１の保持孔２２と前記第２の保持孔２４とを前記安全装置本体２１に対して対称に設けることで、前記第１の端部１１または第２の端部１２のいづれに張力が掛かった際にも安定した性能を発揮させることが可能となる。
＜第２の実施形態＞
安全装置２の第２の実施形態としては、図９に示すように、第１の変形許容部である第１のスリット２６及び第２の変形許容部である第２のスリット２７を、前記安全装置本体２１の外縁２１ａにまで達する構成とすることが考えられる。
【００３７】
安全装置本体２１、第１の保持孔２２、第２の保持孔２４の構成は、前記第１の実施形態と同様である。尚、図９、図１０において、第１の実施形態と同一の構成には同じ符号を付している。
【００３８】
以下、第１の実施形態との変更点である第１のスリット２６及び第２のスリット２７の構成について詳述する。
【００３９】
第１のスリット２６は、前記第１の保持孔２２と連通するスリットであり、前記安全装置本体２１に対して前記第１の保持孔２２が外向きへ変形することを許容するものである。具体的には、安全装置本体２１の上下辺と平行に前記安全装置本体２１の右側辺に向かって外縁２１ａに達するまで切り込んだスリットであり、安全装置本体２１の上下寸法の略中央に位置する。
【００４０】
第２のスリット２７は、前記第２の保持孔２４と連通するスリットであり、前記安全装置本体２１に対して前記第２の保持孔２４が外向きへ変形することを許容するものである。具体的には、安全装置本体２１の上下辺と平行に前記安全装置本体２１の左側辺に向かって外縁２１ａに達するまで切り込んだスリットであり、安全装置本体２１の上下寸法の略中央に位置する。
【００４１】
以上のように、前記変形許容部である第１のスリット２６と第２のスリット２７を、前記安全装置本体２１に対して外向きへの変形を許容するものとすることで、例えば、懸吊具Ａが人に引っかかり懸吊ひも１が引っ張られた場合にも、容易に懸吊ひも１の端部１１または第２の端部１２が第１の保持孔２２または第２の保持孔２４から抜けやすくなり、緊急時にループ状態が解除されないという危険性を回避することができる。
【００４２】
加えて、前記第１のスリット２６や第２のスリット２７を前記安全装置本体２１の外縁２１ａまで達する構成にしているため、万一懸吊ひも１の端部１１、１２がドア等に挟まれたままの状態となって保持孔２２、２４から抜けない場合にも、例えば前記懸吊ひも２の端部１１、１２近傍が当該スリット２６、２７を通過して安全装置２から外れ、ループ状態を解除することができる。また、一度外れた懸吊ひも１を再度安全装置本体２１に保持させる際には、前記スリット２６、２７を通して外縁２１ａから容易に取り付けることができる。
【００４３】
なお、本発明における構成は、以上説明したものに限定されないのは勿論である。例えば、本願実施の形態においては、前記第１の保持部及び第２の保持部の双方を保持孔２２，２４にて構成しているが、いずれか一方の保持部のみを保持孔２２，２４にて構成し、他方の保持部を懸吊ひも１の端部１１、１２が安全装置本体２１から離脱しない状態に保持する構成とすることも考えられる。例えば、懸吊ひも１を安全装置本体２１に固着させたり、係止部設けて係止させて保持してもよい。前記第１のスリット２３、２６、第２のスリット２５、２７により変形許容部を形成しているが、第１の保持孔２２または第２の保持孔２４の周りを一定の張力が掛かった際に第１の保持孔２２または第２の保持孔２４を広げる方向に弾性変形するような素材により構成とすることも考えられる。また、第１の実施形態及び第２の実施形態は、変形許容部を内向きまたは外向きの一方向への変形を許容するスリットにて形成しているが、内向き及び外向き等の複数方向への変形を許容する変形許容部であっても良い。更に、本実施の形態においては、第１の保持孔２２または第２の保持孔２４から抜けないために結び目を形成しているが、保持孔２２、２４より大なる止め具等を懸吊ひも１の端部１１、１２に取り付けることも考えられる。加えて、前記結び目や止め具等の位置を変えるだけで、簡単に懸吊ひも１の長さを調節することも可能である。また、安全装置本体２１は、シート部材に限らず板材等でも構わない。本実施の形態においては、被懸吊体を名札ケースＢとしているが、ＩＣカードの他、携帯電話などを懸吊することもできる。その他の構成も本発明の趣旨を逸脱しない範囲で種々変形が可能である。
【００４４】
【発明の効果】
本発明は、懸吊ひもの第１の端部と第２の端部とを保持して懸吊具のループ状態を形成すると共に、当該懸吊ひもに一定以上の張力が掛かった際に前記ループ状態を解除する安全装置において、基台となる安全装置本体と、この安全装置本体に前記懸吊ひもの第１の端部を保持する第１の保持部と、前記安全装置本体に前記懸吊ひもの第２の端部を保持する第２の保持部とを具備し、前記第１の保持部または第２の保持部を前記懸吊ひもの端部を貫通させて保持する保持孔にて構成すると共に、当該保持孔の変形を許容する変形許容部を備え、前記懸吊ひもに一定以上の張力が掛かった際に前記保持孔を変形させて前記懸吊ひもの端部を保持孔から離脱させることにより前記懸吊具のループ状態を解除することを特徴とする。
【００４５】
以上の構成により、例えば型抜き成形などにより廉価に安全装置を製造できる他、安全装置をループ状態を解除する張力の設定や懸吊ひもの太さの設定等に合わせて簡単に設定変更することができる簡易な構成とすることができる。
【図面の簡単な説明】
【図１】第１の実施形態における使用者が懸吊具を使用した状態を示す正面図。
【図２】第１の実施形態における安全装置を示す斜視図。
【図３】第１の実施形態における安全装置を示す正面図。
【図４】第１の実施形態における安全装置を示す背面図。
【図５】第１の実施形態における安全装置を示す平面図。
【図６】第１の実施形態における懸吊ひもに張力が掛かった状態を示す背面図。
【図７】第１の実施形態における第２の保持孔が変形した状態を示す背面図。
【図８】第１の実施形態における第２の端部が離脱した状態を示す背面図。
【図９】第２の実施形態における安全装置を示す正面図。
【図１０】第２の実施形態における第２の保持孔が変形した状態を示す背面図。
【符号の説明】
Ａ・・・懸吊具
１・・・懸吊ひも
２・・・安全装置
１１・・・第１の端部
１２・・・第２の端部
２１・・・安全装置本体
２１ａ・・・外縁
２２・・・第１の保持部（第１の保持孔）
２３・・・第１の変形許容部（第１のスリット）
２４・・・第２の保持部（第２の保持孔）
２５・・・第２の変形許容部（第２のスリット）
２６・・・第１の変形許容部（第１のスリット）
２７・・・第２の変形許容部（第２のスリット）
【図１】
2004347733.tif 000003
【図２】
2004347733.tif 000004
【図３】
2004347733.tif 000005
【図４】
2004347733.tif 000006
【図５】
2004347733.tif 000007
【図６】
2004347733.tif 000008
【図７】
2004347733.tif 000009
【図８】
2004347733.tif 000010
【図９】
2004347733.tif 000011
【図１０】
2004347733.tif 000012